(57)【要約】【課題】多重音声パスを有するシステムにおいて、複数のマイクに同時に音声が入力された場合であっても、過入力状態を阻止して音声の途切れを防止する。【解決手段】多重音声パスを有するシステムにおいて、音声を入力する複数のマイク２１ａ、２１ｂ、２１ｃ、…と音声入力を混合するミキサー３２との間を近距離無線システムによりマルチリンク接続状態とする。ミキサー３２は近距離無線システムにより送られてきた量子化データを受信し、多重音声パスの特性を最適条件によって判断し、最適な音声パスを選択して処理装置へ出力する。【選択図】      図１
2009089257.tif 000002
【特許請求の範囲】
【請求項１】
アナログ音声信号を入力する複数の音声信号入力手段と、前記各入力手段により入力された音声信号をそれぞれ量子化する量子化手段と、前記各量子化手段により量子化された音声情報をそれぞれ外部に送信する近距離無線システムを用いた複数の送信部と、前記各送信部から送信された音声情報を受信する受信部と、前記受信部で受信された音声情報に基づいて最適な音声パスを選択して切替えるミキサーと、前記ミキサーから出力される音声情報を処理する処理装置とを具備することを特徴とする多重音声パスの切替方式。
【発明の詳細な説明】
【技術分野】
【０００１】
本発明は、多重音声パスの特性を最適条件によって判断し、最適な音声パスを選択して切替える多重音声パスの切替方式に関する。
【背景技術】
【０００２】
多重音声パスを有するシステムとしては、例えばテレビ会議システムがある（例えば、特許文献１参照。）。
【０００３】
上記テレビ会議システムでは、図２に示すように複数のマイク（マイクロフォン）１１ａ、１１ｂ、１１ｃ、…を使用する場合がある。上記複数のマイク１１ａ、１１ｂ、１１ｃ、…は、ケーブル１２ａ、１２ｂ、１２ｃ、…を介してミキサー１３に接続される。このミキサー１３は、各マイク１１ａ、１１ｂ、１１ｃ、…から入力される音声信号を混合して既存のテレビ会議システム１４に入力する。テレビ会議システム１４は、音声入力手段の他、例えば会議参加者を撮影し、その撮影画像を入力するテレビカメラ、音声を出力するスピーカ、画像処理装置、音声処理装置、送受信制御装置等を備えている。
【０００４】
上記のように多重音声パスを有するシステムにおいて、複数のマイク１１ａ、１１ｂ、１１ｃ、…に対して複数人が同時に音声を入力すると、各マイクから入力された音声は１つのミキサー１３内で競合することになり、その結果、ミキサー１３内の音声ゲインは過入力状態となり、音声の途切れを引き起こすことになる。
【特許文献１】特開平１０−１７８６２４号公報
【発明の開示】
【発明が解決しようとする課題】
【０００５】
上記テレビ会議システム１４のように多重音声パスを有する従来のシステムにおいては、複数のマイク１１ａ、１１ｂ、１１ｃ、…をミキサー１３に入力して混合するようにしており、複数のマイク１１ａ、１１ｂ、１１ｃ、…に対して複数人が同時に音声を入力すると、各マイクから入力された音声はミキサー１３内で競合することになり、その結果、ミキサー１３内の音声ゲインは過入力状態となり、音声の途切れを引き起こすことになる。
【０００６】
本発明は上記の課題を解決するためになされたもので、多重音声パスの特性を最適条件によって判断し、最適な音声パスを選択して切替えることにより、複数のマイクに対して複数人が同時に音声を入力した場合であっても音声の途切れを確実に防止することができる多重音声パスの切替方式を提供することを目的とする。
【課題を解決するための手段】
【０００７】
本発明に係る多重音声パスの切替方式は、アナログ音声信号を入力する複数の音声信号入力手段と、前記各入力手段により入力された音声信号をそれぞれ量子化する量子化手段と、前記各量子化手段により量子化された音声情報をそれぞれ外部に送信する近距離無線システムを用いた複数の送信部と、前記各送信部から送信された音声情報を受信する受信部と、前記受信部で受信された音声情報に基づいて最適な音声パスを選択して切替えるミキサーと、前記ミキサーから出力される音声情報を処理する処理装置とを具備することを特徴とする。
【発明の効果】
【０００８】
本発明によれば、多重音声パスを有するシステムにおいて、複数のアナログ音声が同時に入力された場合であってもミキサー内での音声ゲインの過入力状態を無くし、音声の途切れ現象を確実に防止することができる。
【発明を実施するための最良の形態】
【０００９】
以下、図面を参照して本発明の実施形態を説明する。
【００１０】
図１は、本発明の一実施形態に係る多重音声パスの切替方式をテレビ会議システムに適用した場合について説明する。
【００１１】
図２において、２１ａ、２１ｂ、２１ｃ、…は、テレビ会議システムにおいて音声を入力するための複数のマイク（マイクロフォン）で、各マイク２１ａ、２１ｂ、２１ｃ、…から入力される音声信号は、それぞれ量子化回路２２ａ、２２ｂ、２２ｃ、…に入力されて量子化され、音声情報（量子化データ）として出力される。上記量子化回路２２ａ、２２ｂ、２２ｃ、…から出力される音声情報、すなわち量子化データは、近距離無線システムを用いた送信部２３ａ、２３ｂ、２３ｃ、…に入力され、アンテナ２４ａ、２４ｂ、２４ｃ、…からミキサー側に送信される。
【００１２】
ミキサー側には、上記近距離無線システムを用いた受信部３１が設けられ、上記送信部２３ａ、２３ｂ、２３ｃ、…のアンテナ２４ａ、２４ｂ、２４ｃ、…から送信される音声情報（量子化データ）をアンテナ３０により受信し、ミキサー３２に入力する。
【００１３】
上記近距離無線システムとしては、例えばBluetooth（登録商標）無線システムを用い、複数のマイク２１ａ、２１ｂ、２１ｃ、…とミキサー３２との間にマルチリンクシステムを構築する。上記Bluetooth無線システムは、２．４ＧＨｚ帯の周波数を用いて約１０ｍ以内の近距離通信を行うもので、通信速度は最高１〜２Ｍｂｐｓである。上記Bluetooth無線システムを用いた場合、最高７台の端末、この場合には７つのマイク２１ａ、２１ｂ、２１ｃ、…とミキサー３２との間で同時通信が可能である。上記複数のマイク２１ａ、２１ｂ、２１ｃ、…及びミキサー３２は、Bluetoothチップセットを搭載することによってBluetooth無線システムを構築し、近距離無線通信を行うことが可能となる。
【００１４】
ミキサー３２は、受信部３１により受信した音声情報（量子化データ）が送られてくると、多重音声パスの特性を最適条件によって判断し、最適な音声パスを選択して量子化データを処理装置例えばテレビ会議システムの端末装置４１へ出力する。
【００１５】
上記ミキサー３２が最適条件に基づいて通話パスを切替える方式としては下記の２通りの方式がある。
【００１６】
（１）音声情報（量子化データ）の絶対値を計算、比較して通話パスを切替える方式。
【００１７】
（２）ミキサー３２への到達が早い音声情報（量子化データ）から順次、パスを通す方式。
【００１８】
上記（１）の方式の場合、マイク側の量子化回路２２ａ、２２ｂ、２２ｃ、…で量子化されたデータは、音声ゲインのレベルも表しているので、音声情報（量子化データ）を受け取ったミキサー３２は、受け取ったデータの音声ゲインの絶対値を計算し、比較して最も大きな音声ゲインのデータを選択するように通話パスの切替えを行う。
【００１９】
上記（２）の方式の場合、複数のマイク２１ａ、２１ｂ、２１ｃ、…は送信部２３ａ、２３ｂ、２３ｃ、…から様々なタイミングで音声情報（量子化データ）を送信するので、ミキサー３２は受信した音声情報（量子化データ）の到着順を比較し、到着の早いものから順次パスを開くように通話パスの切替えを行う。
【００２０】
上記ミキサー３２は、上記２通りの方式のうち回路条件等に応じて一方の方式を採用し、通話パスの切替えを行う。上記ミキサー３２のサンプリング周期は、例えば８ｋＨｚに設定される。サンプリング周期が８ｋＨｚの場合、ミキサー３２は１２５μｓｅｃの処理時間内に通話パスを切替えることで、音声の途切れが発生しない十分な処理時間を確保している。
【００２１】
上記テレビ会議システムは、ＩＴＵ−Ｔ勧告のＨ．３２０に規格化されている端末装置４１を備えており、この端末装置４１はＤＳＵ（Digital Service Unit：デジタル回線接続装置）４２を介してＩＳＤＮ回線４３と接続される。上記端末装置４１は、図示しないが会議参加者を撮影し、その撮影画像を入力するテレビカメラ、音声を出力するスピーカ、画像処理装置、音声処理装置、送受信制御装置等を備えている。また、上記ＩＳＤＮ回線４３には上記端末装置４１と同様に構成された通信相手の端末装置（図示せず）が接続される。
【００２２】
上記のように複数のマイク２１ａ、２１ｂ、２１ｃ、…から入力されるアナログ音声信号を量子化回路２２ａ、２２ｂ、２２ｃ、…で量子化した後、マルチリンク接続が可能なの近距離無線システムによってミキサー３２に転送し、このミキサー３２が受信した音声情報（量子化データ）に基づいて最適な通話パスを選択して切替えることにより、複数のマイク２１ａ、２１ｂ、２１ｃ、…に同時にアナログ音声が入力された場合であってもミキサー３２内での音声ゲインの過入力状態が無くなり、音声の途切れ現象を確実に防止することができ、その結果、テレビ会議システム等の進行も円滑となり、会議効率の向上を図ることができる。
【００２３】
なお、上記実施形態では、３つのマイクを使用する場合について示したが、マイクの数は任意に設定し得るものである。
【００２４】
また、上記実施形態では、近距離無線システムとしてBluetooth無線システムを用いた場合について示したが、その他の無線システムを用いても良いことは勿論である。
【００２５】
また、上記実施形態では、多重音声パスの切替方式をテレビ会議システムに適用した場合について示したが、その他のシステムにおいても上記実施形態と同様にして実施し得るものである。
【００２６】
また、本発明は、上記実施形態そのままに限定されるものではなく、実施段階ではその要旨を逸脱しない範囲で構成要素を変形して具体化できるものである。
【図面の簡単な説明】
【００２７】
【図１】本発明の一実施形態に係る多重音声パスの切替方式の構成を示すブロック図である。
【図２】従来のテレビ会議システムにおいて、複数のマイクを使用して音声を入力する場合の概略構成を示すブロック図である。
【符号の説明】
【００２８】
２１ａ、２１ｂ、２１ｃ、…、…マイク、２２ａ、２２ｂ、２２ｃ、…、…量子化回路、２３ａ、２３ｂ、２３ｃ、…、…送信部、２４ａ、２４ｂ、２４ｃ、…、…送信部のアンテナ、３０…受信部のアンテナ、３１…受信部、３２…ミキサー、４１…端末装置、４２…ＤＳＵ、４３…ＩＳＤＮ回線
【図１】
2009089257.tif 000003
【図２】
2009089257.tif 000004